(57)【特許請求の範囲】
【請求項１】
少なくとも一部に光反射性の反射部を有する支持体上に、光を透過しかつ特定の視域における観測色がＲＧＢの３原色のいずれかになるような空間周波数を有する３種類の光回折構造（ＯＶＤ）を有する透過型ＯＶＤ層を微小面積のドット形状で網点画像として設け、前記観測色が互いに異なるＯＶＤ画像を重ねて成ることを特徴とする画像表示媒体。
【請求項２】
少なくとも一部に光反射性の反射部をあらかじめ設けた支持体上に、光を透過しかつ特定の視域における観測色がＲＧＢの３原色のいずれかになるような空間周波数を有する３種類の光回折構造（ＯＶＤ）を有する透過型ＯＶＤ層を備えた透過型ＯＶＤ転写リボンを用いて、サーマルヘッドによりＲＧＢ分解画像情報に対応させて微小面積のドット形状で転写して網点画像を形成したことを特徴とする画像表示媒体の製造方法。
【請求項３】
支持体上の少なくとも一部に、反射層を備えた反射型転写リボンを用いて、サーマルヘッドにより微小面積のドット形状で転写して光反射性の反射部を形成し、しかる後に、光を透過しかつ特定の視域における観測色がＲＧＢの３原色のいずれかになるような空間周波数を有する３種類の光回折構造（ＯＶＤ）を有する透過型ＯＶＤ層を備えた透過型ＯＶＤ転写リボンを用いて、サーマルヘッドによりＲＧＢ分解画像情報に対応させて転写して網点画像を形成したことを特徴とする画像表示媒体の製造方法。
【発明の詳細な説明】
【０００１】
【発明の属する技術分野】
本発明は、例えばクレジットカード、有価証券、証明書類等の各種物品に利用される画像表示媒体、および転写リボンをサーマルヘッドにより転写せしめるサーマル転写方式により画像を形成して画像表示媒体を製造する方法に係り、特にホログラムや回折格子のような光回折構造（以下、ＯＶＤ：Ｏｐｔｉｃａｌ  Ｖａｒｉａｂｌｅ  Ｄｅｖｉｃｅと称する）により光学的に画像を表現する画像表示媒体およびその製造方法に関するものである。
【０００２】
【従来の技術】
近年、光の干渉を用いて立体画像や特殊な装飾画像を表現し得る、ホログラム画像や回折格子画像のようなＯＶＤ画像の開発が進められている。
これらホログラムや回折格子のＯＶＤ技術は、高度な製造技術を要し、複製が難しいことから、有効な偽造防止手段として、例えばクレジットカード、ＩＤカード、プリペイドカード等のカード類に利用されてきている。
【０００３】
また、最近では、反射型のＯＶＤ画像がカラーコピー不可能であるという点に着目して、商品券、小切手、手形、株券、入場券、各種証明書等の紙券類でも、頻繁に利用されてきている。
【０００４】
さらには、その装飾性の高さから、包装材、書籍、パンフレット、ＰＯＰ等の物品への利用も少なくない。
なお、ここでは、上記ホログラム画像やまた回折格子画像等の光学的に画像を表現した技術を、ＯＶＤと総称して用いることにする。
【０００５】
ところで、このようなＯＶＤを物品に貼着するための手段としては、従来から、転写箔を用いて転写形成するという方法が採られている。
この種の転写箔は、基材シート上に、剥離層、ホログラムや回折格子の画像パターンが形成されているレリーフ層と反射層とからなるＯＶＤ層、接着層を、順次積層してなる構成のものが知られている。そして、これら転写箔に刻まれたＯＶＤパターン（ホログラムパターンおよび回折格子パターン）は、微小な凹凸パターンをニッケル製のプレス版に複製し、レリーフ層に加熱押圧するという周知の方法により、大量複製が行なわれている。
【０００６】
一方、これら大量複製された転写箔等を転写、貼着する方法としては、ホットスタンプによる加熱転写が一般的である。
しかしながら、このような転写箔を用いて、ホログラム画像あるいは回折格子画像等のＯＶＤ画像情報を形成する方法は、同一の画像情報を大量複製し、同一形状に転写形成するのに適した方法ではあるが、顔写真やＩＤ情報のような各々異なる画像情報を貼着することは不可能である。
【０００７】
そのため、最近では、個々に異なる情報を容易にカード類に形成する方法として、転写リボンを用いてサーマルヘッドにより網点画像を形成する方法が提案されている（例えば、“特願昭６３−１１３３３２号“）。
【０００８】
さらに、より意匠性の高い画像情報を得る目的で、ＲＧＢの３原色のそれぞれの色に対応したＯＶＤ転写リボンを用いて、ＲＧＢ分解画像情報にそれぞれ対応した網点画像を形成し、カラーホログラム画像またはカラー回折格子画像といったＯＶＤ画像を形成する方法も提案されてきている（例えば、“特願平８−２４２２６号”）。
【０００９】
以下に、従来のＯＶＤ画像の形成方法について簡単に説明する。
図７は、従来の反射型ＯＶＤ転写リボンの構成例を示す断面図である。
従来の反射型ＯＶＤ転写リボンは、光を全反射する層である反射層を有しており、カラーコピー防止効果、および優れたアイキャッチ効果を有するＯＶＤ画像を容易に製造することができる。
【００１０】
すなわち、反射型ＯＶＤ転写リボンは、図７に示すように、支持体としての基材７１の一方の面上に、剥離層（剥離性保護層）７２が形成され、この剥離層７２上に、ホログラムあるいは回折格子等のＯＶＤパターンを設けたレリーフ形成層７３ａと反射層７３ｂとからなるＯＶＤ層７３が形成されている。
【００１１】
また、このＯＶＤ層７３上には、接着層７４が形成されている。
さらに、基材７１のもう一方の面上には、バックコート層７５が形成されている。
【００１２】
なお、ＯＶＤ層７３には、特定の視域における観測色がＲＧＢの３原色のいずれかになるような空間周波数を有する３種類のホログラムまたは回折格子等のＯＶＤが形成されている。
【００１３】
そして、このＲＧＢの３色の反射型ＯＶＤ転写リボンを用いて、ＲＧＢそれぞれの色に対応した転写リボンを、サーマルヘッドにより網点画像として被転写体に転写し、ＲＧＢ分解画像情報にそれぞれ対応する網点画像を形成することにより、カラーホログラム画像またはカラー回折格子画像等のカラーＯＶＤ画像を容易に形成することが可能である。
【００１４】
【発明が解決しようとする課題】
しかしながら、このような反射型ＯＶＤ転写リボンを用いて、反射型カラーＯＶＤ画像を形成した場合、ＲＧＢの３原色を重ねた色表現（混色表現）をすることは難しい。
【００１５】
すなわち、各反射型ＯＶＤ転写リボンに反射層７３ｂが設けてあることから、ＲＧＢの３色の転写リボンを重ねて形成した場合に、その部分の色は最表面に形成された転写リボンの色を呈し、混色とはならない。その結果、色彩表現が乏しい画像になってしまうという問題がある。
【００１６】
また、色彩表現の豊かな混色表現を、ＲＧＢの各色のドットの平面配置にて擬似的に表現するためには、サーマルヘッド転写機自体に高い性能が要求されることになり好ましくない。
【００１７】
本発明の目的は、反射型ＯＶＤ画像においても重ねによる混色表現効果を向上させることができ、装飾効果やコピー防止効果を損なうことなく、より色彩表現の豊かな意匠性の高い画像を得ることが可能な画像表示媒体およびその製造方法を提供することにある。
【００１８】
【課題を解決するための手段】
上記の目的を達成するために、請求項１の発明の画像表示媒体では、少なくとも一部に光反射性の反射部を有する支持体上に、光を透過しかつ特定の視域における観測色がＲＧＢの３原色のいずれかになるような空間周波数を有する３種類の光回折構造（ＯＶＤ）を有する透過型ＯＶＤ層を微小面積のドット形状で網点画像として設け、観測色が互いに異なるＯＶＤ画像を重ねて成る。
【００１９】
従って、請求項１の発明の画像表示媒体においては、反射部を有する支持体上に、光を透過しかつＲＧＢの３原色を表現できる３種類の光回折構造（ＯＶＤ）を有する透過型ＯＶＤ層を網点画像として設けることにより、光回折構造（ＯＶＤ）部分は透明であるため、画像の重なる部分ではその色は混色を呈し、より色表現の豊かな画像を得ることができる。
【００２０】
また、透過型ＯＶＤ層の下側に反射部を設けているため、前述した従来の反射型ＯＶＤ表示媒体と同様に装飾効果が高く、かつカラーコピー防止効果の高い画像を得ることができる。
【００２１】
これにより、反射型ＯＶＤ画像においても重ねによる混色表現が可能となり、反射性ＯＶＤ画像の利点である、コピー防止効果および優れた装飾性を損なうことなく、より品質の高い意匠性に富んだ画像を得ることができる。
【００２２】
一方、請求項２の発明の画像表示媒体の製造方法では、少なくとも一部に光反射性の反射部をあらかじめ設けた支持体上に、光を透過しかつ特定の視域における観測色がＲＧＢの３原色のいずれかになるような空間周波数を有する３種類の光回折構造（ＯＶＤ）を有する透過型ＯＶＤ層を備えた透過型ＯＶＤ転写リボンを用いて、サーマルヘッドによりＲＧＢ分解画像情報に対応させて微小面積のドット形状で転写して網点画像を形成する。
【００２３】
従って、請求項２の発明の画像表示媒体の製造方法においては、反射部を有する支持体上に、光を透過しかつＲＧＢの３原色を表現できる３種類の光回折構造（ＯＶＤ）を有する透過型ＯＶＤ層を備えた透過型ＯＶＤ転写リボンを用いて、サーマルヘッドでＲＧＢ分解画像情報に対応させて網点画像を転写形成することにより、反射型ＯＶＤ画像においても重ねによる混色表現を可能とし、より品質の高い意匠性に富んだホログラム画像またはカラー回折格子画像等のカラーＯＶＤ画像を容易に形成することができる。
【００２４】
また、請求項３の発明の画像表示媒体の製造方法では、支持体上の少なくとも一部に、反射層を備えた反射型転写リボンを用いて、サーマルヘッドにより微小面積のドット形状で転写して光反射性の反射部を形成し、しかる後に、光を透過しかつ特定の視域における観測色がＲＧＢの３原色のいずれかになるような空間周波数を有する３種類の光回折構造（ＯＶＤ）を有する透過型ＯＶＤ層を備えた透過型ＯＶＤ転写リボンを用いて、サーマルヘッドによりＲＧＢ分解画像情報に対応させて転写して網点画像を形成する。
【００２５】
従って、請求項３の発明の画像表示媒体の製造方法においては、反射層を備えた反射型転写リボンと、光を透過しかつＲＧＢの３原色を表現できる３種類の光回折構造（ＯＶＤ）を有する透過型ＯＶＤ層を備えた透過型ＯＶＤ転写リボンとを併用して、サーマルヘッドで反射部と網点画像とを転写形成することにより、反射型ＯＶＤ画像においても重ねによる混色表現を可能とし、より品質の高い意匠性に富んだホログラム画像またはカラー回折格子画像等のカラーＯＶＤ画像を任意の部分に任意の形状で容易に形成することができる。
【００２６】
【発明の実施の形態】
以下、本発明の一実施の形態について図面を参照して詳細に説明する。
図１は、本実施の形態による画像表示媒体の構成例を示す断面図である。
すなわち、本実施の形態の画像表示媒体は、図１に示すように、支持体としての基材１１上に、光反射性の反射部１２を全面あるいは一部に設け、この反射部１２上に保護層１３を設け、さらにこの保護層１３上に、光を透過しかつ特定の視域における観測色がＲＧＢの３原色のいずれかになるような空間周波数を有する３種類のＯＶＤを有する透過型ＯＶＤ層を微小面積のドット形状で網点画像として設けて、赤色ＯＶＤ画像１４Ｒ，緑色ＯＶＤ画像１４Ｇ，青色ＯＶＤ画像１４Ｂを有した構成としている。
【００２７】
次に、図１に示す本実施の形態の画像表示媒体の製造方法について説明する。
すなわち、本実施の形態では、まず、支持体としての基材１１上の全面あるいは一部に、反射層を備えた反射型転写リボンを用いて、サーマルヘッドにより微小面積のドット形状で転写して光反射性の反射部１２を形成する。
【００２８】
次に、反射部１２の上に、保護層１３を形成する。
しかる後に、光を透過しかつ特定の視域における観測色がＲＧＢの３原色のいずれかになるような空間周波数を有する３種類のＯＶＤを有する透過型ＯＶＤ層を備えた透過型ＯＶＤ転写リボンを用いて、サーマルヘッドによりＲＧＢ分解画像情報に対応させて転写して保護層１３上に網点画像を形成することにより、赤色ＯＶＤ画像１４Ｒ，緑色ＯＶＤ画像１４Ｇ，青色ＯＶＤ画像１４Ｂを形成する。
【００２９】
次に、本実施の形態に係る画像表示媒体を構成する基材１１、反射部１２、保護層１３の役割とその構成材料について詳細に説明する。
基材１１は、画像を表示する媒体であり、シートあるいはカードの形態で用いる。
【００３０】
その材料としては、例えばポリ塩化ビニル、ポリエステル、ポリカーボネート、ポリメタクリル酸メチル、ポリスチレン、ポリエチレン、ポリエチレンテレフタレート、ポリエチレンナフタレート、ポリプロピレン、ポリビニルアルコール等の合成樹脂、天然樹脂、紙、合成紙等から単独で選択されたもの、または上記の中から選択されて組み合わされた複合体を使用することが可能である。
【００３１】
これらは、その媒体の利用法により要求される強度、耐熱性等の性能から、適宜選択される。
反射部１２は、ＯＶＤ画像を透過した光を反射し、より高いホログラムの装飾効果を導き出す層であり、Ａｌ，Ｓｎ，ＡＵ，Ａｇ，Ｃｒ等の金属およびその酸化物を、単独あるいは複合して用いることができる。
【００３２】
その形成方法としては、真空蒸着、スパッタリング、イオンプレーティング等の既知の薄膜形成技術が用いられ、その膜厚が３００オングストローム〜２０００オングストロームとなるように形成することが好ましい。
【００３３】
また、金属薄膜をエッチング処理により部分的に除去する等の公知の手段によって、反射部となる薄膜を部分的に設けることも可能である。
保護層１３は、搬送時の傷付きを防止する層であり、その材質としては、熱硬化性樹脂、熱硬化性樹脂、紫外線あるいは電子線硬化性樹脂のいずれであってもよいが、耐摩擦性を考慮して、石油系ワックス、植物系ワックス等の各種ワックス、ステアリン酸等の高級脂肪酸の金属塩、シリコンオイル等の滑剤や、テフロンパウダー、ポリエチレンパウダー、シリコーン系微粒子やアクリルニトリル系微粒子等の有機フィラー、およびシリカ微粒子等の無機フィラーを添加することもできる。
【００３４】
図２は、本実施の形態に係る画像表示媒体の製造に用いる透過型ＯＶＤ転写リボンの構成例を示す断面図である。
図２において、支持体としての基材２１の一方の面上には、剥離層２２が形成され、この剥離層２２の上には、ＯＶＤ層２３が形成されている。
【００３５】
本例では、レリーフ型ＯＶＤの構成例を示しており、ＯＶＤ層２３は、レリーフホログラムあるいは回折格子パターンを有するレリーフ層２３ａと、その形成面に設けられた透過性反射層２３ｂとが、蒸着またはスパッタリング等により形成されている。
【００３６】
また、透過性反射層２３ｂの上には、接着層２４が形成されている。
さらに、基材２１のもう一方の面（剥離層２２が形成された面と反対側の面）上には、バックコート層２５が形成されている。
【００３７】
図３は、上記透過型ＯＶＤ転写リボンの構成例を示す平面図である。
本例では、２光束干渉法で作製した単純回折格子を、ＯＶＤパターンとして使用している。
【００３８】
また、このＯＶＤパターンは、ＲＧＢの３原色の転写リボンに対応した空間周波数を有している必要があり、本例では赤色エリア３１Ｒには、空間周波数１１４０１１ｎｅ／ｍｍの回折格子が、緑色エリア３１Ｇには、空間周波数１３１０１１ｎｅ／ｍｍの回折格子が、青色エリア３１Ｂには、空間周波数１５４０１１ｎｅ／ｍｍの回折格子が、それぞれ形成されている。
【００３９】
すなわち、これは、図４に模式図を示すように、画像表示媒体４１表面に、その天頂方向４５度から白色照射光４２を照射し、正面の０度の位置である観察点４３で観察することを前提として、ＲＧＢそれぞれの色を、６２０ｎｍ、５４０ｎｍ、４６０ｎｍの波長と規定することにより、空間周波数、波長、入反射角の関係式から、ＲＧＢの３原色のそれぞれのエリア３１Ｒ，３１Ｇ，３１Ｂに形成される回折格子の空間周波数を決定しているものである。
【００４０】
なお、本例では、透過型ＯＶＤ転写リボンの送り機構を制御するために、図３に示すようにレジスターマーク３４が、同様に回折格子で形成されている。
また、本例では、１本の透過型ＯＶＤ転写リボンにＲＧＢ３色分のＯＶＤが形成されているが、それぞれＲ，Ｇ，Ｂ３本の透過型ＯＶＤ転写リボンを作製して、マルチヘッドで転写するようにしてもよい。
【００４１】
次に、上記透過型ＯＶＤ転写リボンを構成する各層の役割とその構成材料について詳細に説明する。
基材２１としては、熱転写における熱圧で軟化変形しない耐熱性と強度が要求される。
【００４２】
その材料としては、ポリ塩化ビニル、ポリエステル、ポリカーボネート、ポリメタクリル酸メチル、ポリスチレン、ポリエチレン、ポリエチレンテレフタレート、ポリエチレンナフタレート、ポリプロピレン、ポリビニルアルコール等の合成樹脂、天然樹脂、紙、合成紙等の単独で選択されたもの、または上記の中から選択されて組み合わされた複合体が使用することが可能である。
【００４３】
また、その厚みは、操作性、加工性を考慮して、２〜２５μｍ程度のものが好ましい。
剥離層２２としては、基材２１から容易に剥がれる材料であれば、熱可塑性樹脂、熱硬化性樹脂、紫外線あるいは電子線硬化性樹脂のいずれであってもよいが、柔軟性、箔切れ性を考慮して、熱可塑性樹脂が好ましい。
【００４４】
その一例として、熱可塑性ポリアクリル酸エステル樹脂、塩化ゴム系樹脂、塩化ビニルー酢酸ビニル共重合樹脂、セルロース系樹脂、塩素化ポリプロピレン系樹脂、エポキシ系樹脂、ポリエステル系樹脂、ニトロセルロース系樹脂、スチレンアクリレート系樹脂、ポリエーテル系樹脂、ポリカーボネイト系樹脂等を単独あるい複合して用いることができる。
【００４５】
また、箔切れ性や耐摩性を考慮して、石油系ワックス、植物系ワックス等の各種ワックス、ステアリン酸等の高級脂肪酸の金属塩、シリコンオイル等の滑剤や、テフロンパウダー、ポリエチレンパウダー、シリコーン系微粒子やアクリルニトリル系微粒子等の有機フィラー、およびシリカ微粒子等の無機フィラーを添加することもできる。
【００４６】
なお、剥離層２２は、基材２１自体が剥離性を有している場合、あるいは基材２１自体に離型処理を施してある場合には設ける必要はなく、その場合に、最表面にあたる層（レリーフ層２３ａ）に耐摩擦性付与することや、転写後に保護層を設けることも可能である。
【００４７】
ＯＶＤ層２３は、ホログラムや回折格子等のＯＶＤを記録する層であり、表面に凹凸のレリーフとして記録されているレリーフ型ホログラムや、厚み方向に画像が立体的に記録されている体積型ホログラム等の周知の光回折画像を備えた層である。
【００４８】
その中でも、量産性やコストを考慮した場合には、レリーフ型のものが好ましい。
すなわち、光学的な撮影方法により、微細な凹凸パターンからなるレリーフ型のＯＶＤ（ホログラムあるいは回折格子）を作製し、それをマスター版として、電気メッキ法によりパターンを複製したニッケル製のプレス版を作製する。その後、レリーフ層にプレス版を加熱押圧して凹凸パターンを複製する方法で、大量かつ安価に複製が得られる手法である。
【００４９】
このレリーフ型ＯＶＤを用いた場合には、回折効率を高めるためにレリーフ面と屈折率の異なる反射層を設けることが好ましい。
また、その反射層には、透明性が必要なことから、透明性および反射性を合わせ持つ材料である高屈折率透明材料を使用することができる。
【００５０】
レリーフ層２３ａは、プレス版にて成形可能であるという性能が要求され、その材質としては、熱可塑性樹脂、熱硬化性樹脂、紫外線あるいは電子線硬化性樹脂のいずれであってもよい。
【００５１】
一例を挙げれば、アクリル系樹脂、エポキシ系樹脂、セルロース系樹脂、ビニル系樹脂等の熱可塑性樹脂や、反応性水酸基を有するアクリルポリオールやポリエステルポリオール等に、ポリイソシアネートを架橋剤として添加、架橋したウレタン樹脂や、メラミン系樹脂、フェノ一ル系樹脂等の熱硬化樹脂、エポキシ（メタ）アクリル、ウレタン（メタ）アクリレート等の紫外線あるいは電子線硬化性樹脂を、単独もしくはこれらを混合して使用することができる。
【００５２】
また、ＯＶＤ画像を形成可能であるならば、上記以外のものであっても使用することが可能である。
透過性反射層２３ｂとしては、光の透過性と反射性とを合わせ持つ高屈折率透明材料を使用することができる。
【００５３】
すなわち、レリーフ層２３ａ（屈折率ｎ＝１．３〜１．５）よりも屈折率が高く、透明性を持つ材料、例えば下記の表１に示すような無機材料を、単独あるいは複合してなる積層体として使用することが可能であり、真空蒸着法、スパッタリング等の公知の薄膜形成技術にて形成する。
【００５４】
その膜厚は、透明性と屈折率との問題から、５０オングストローム〜１００００オングストロームとなるように形成することが好ましい。
また、上記屈折率の条件を満たすならば、有機系、有機無機系複合体、有機系材料に無機系フィラーを分散したもの等の材料を、グラビアコート、ロールコート、ダイコート、スクリーン印刷等の公知のコーティング法や印刷法により、１０００オングストローム〜１０００００オングストローム（０．１μｍ〜１０μｍ）の厚さに形成することも可能である。
さらに、光の透過性と反射性とを有した材料であれば、上記以外のものであっても適宜使用することが可能である。
【００５５】
【表１】
0003899599.tif 000002
【００５６】
接着層２４としては、透過性反射層２３ｂと画像表示媒体１０とを接着させるという性能が要求される。
その材質としては、熱可塑性樹脂が好ましく、アクリル樹脂、エポキシ樹脂、ポリエステル樹脂、ビニル系樹脂等の単体あるいは共重合体を、単独もしくは複合して使用することが可能であるが、これらに限定されるものではない。
【００５７】
また、ブロッキングの防止および箔切れ性を考慮して、石油系ワックス、植物系ワックス等の各種ワックス、ステアリン酸等の高級脂肪酸の金属塩、シリコンオイル等の滑剤や、テフロンパウダー、ポリエチレンパウダー、シリコーン系微粒子やアクリルニトリル系微粒子等の有機フィラー、およびシリカ微粒子等の無機フィラーを添加することもできる。
【００５８】
バックコート層２５としては、転写リボンがサーマルヘッドに貼り付くのを防止する構成であれば、通常用いられるものでよく、バインダーとしては、一例を挙げれば、アクリル系樹脂、エポキシ系樹脂、セルロース系樹脂、ビニル系樹脂等の熱可塑性樹脂や、反応性水酸基を有するアクリルポリオールやポリエステルポリオール等に、ポリイソシアネートを架橋剤として添加、架橋したウレタン樹脂や、メラミン系樹脂、フェノ一ル系樹脂等の熱硬化樹脂、エポキシ（メタ）アクリル、ウレタン（メタ）アクリレート、シリコーン系等の紫外線あるいは電子線硬化樹脂を、単独もしくはこれらを混合して使用することができる。
【００５９】
また、これらに、スリップ剤としての各種界面活性剤、ポリエチレンＷＡＸ、シリコンＷＡＸ等の滑剤、タルク等の充填剤を必要に応じて添加したものを使用することが可能である。
【００６０】
さらに、サーマルヘッドとの貼り付きを防ぐことができる材料であれば、上記以外のものであっても使用することが可能である。
図５は、本実施の形態に係る画像表示媒体の製造に用いる反射型転写リボンの構成例を示す断面図である。
【００６１】
図５において、支持体としての基材６１の一方の面上には、剥離層６２が形成され、この剥離層６２の上には、反射層６３が形成されている。
また、反射層６３の上には、接着層６４が形成されている。
【００６２】
さらに、基材６１のもう一方の面（剥離層６２が形成された面と反対側の面）上には、バックコート層６５が形成されている。
ここで、基材６１、剥離層６２、接着層６４、バックコート層６５は、前述した透過型ＯＶＤ転写リボンの基材２１、剥離層２２、接着層２４、バックコート層２５と同様の役割を有しており、その構成材料としても、前記透過型ＯＶＤ転写リボンと同一の材質を用いることができる。
【００６３】
一方、反射層６３としては、ＯＶＤ画像を透過した光を反射し、より高いホログラムの装飾効果を導き出す層であり、Ａｌ，Ｓｎ，ＡＵ，Ａｇ，Ｃｒ等の金属およびその酸化物を、単独あるいは複合して用いることができる。
【００６４】
その形成方法としては、真空蒸着、スパッタリング、イオンプレーティング等の既知の薄膜形成技術が用いられ、その膜厚が３００オングストローム〜２０００オングストロームとなるように形成することが好ましい。
【００６５】
また、金属薄膜をエッチング処理により部分的に除去する等の公知の手段によって、反射部となる薄膜を部分的に設けることも可能である。
次に、以上のような方法により製造した本実施の形態による画像表示媒体においては、反射部１２を形成した支持体上に、光を透過しかつＲＧＢの３原色を表現できる３種類のＯＶＤを有する透過型ＯＶＤ層を微小面積のドット形状で網点画像として設けて、赤色ＯＶＤ画像１４Ｒ，緑色ＯＶＤ画像１４Ｇ，青色ＯＶＤ画像１４Ｂを有した構成としていることにより、画像表示媒体４１を上面から観察した場合、ＯＶＤ部分は透明であるため、画像の重なる部分ではその色は混色を呈し、より色表現の豊かな画像を得ることができる。
【００６６】
すなわち、本実施の形態の方法で製造したＯＶＤ画像１４Ｒ，１４Ｇ，１４Ｂを有する画像表示媒体４１は、従来のグレーティングイメージ、ピクセルグラムといった回折格子画像と同様の装飾効果を持ち、かつ前述した方法で特定視域にて観察することにより、ＲＧＢ画像データに応じたカラー画像を観察することができる。
【００６７】
また、透過型ＯＶＤ層の下側に反射部１２を設けているため、前述した従来の反射型ＯＶＤ表示媒体と比べて同様に装飾効果が高く、かつカラーコピー防止効果の高い画像を得ることができる。
【００６８】
すなわち、前述した従来の反射型ＯＶＤリボンで転写したものに比べて、混色表現効果を向上させることが可能となり、よりカラー表現が多彩な高品質な画像を得ることができる。
【００６９】
さらに、反射層６３を備えた反射型転写リボンと、光を透過しかつＲＧＢの３原色を表現できる３種類のＯＶＤを有する透過型ＯＶＤ層を備えた透過型ＯＶＤ転写リボンとを併用して、サーマルヘッドで反射部１２と網点画像（ＯＶＤ画像１４Ｒ，１４Ｇ，１４Ｂ）とを転写形成していることにより、反射型ＯＶＤ画像においても重ねによる混色表現を可能とし、より品質の高い意匠性に富んだホログラム画像またはカラー回折格子画像等のカラーＯＶＤ画像を、任意の部分に任意の形状で容易に形成することができる。
【００７０】
以上により、反射型ＯＶＤ画像においても重ねによる混色表現が可能となり、反射性ＯＶＤ画像の利点である、コピー防止効果および優れた装飾性を損なうことなく、より品質の高い意匠性に富んだ画像を得ることができる。
【００７１】
（他の実施の形態）
前記実施の形態では、支持体としての基材１１上の全面あるいは一部に、反射層を備えた反射型転写リボンを用いて、サーマルヘッドにより微小面積のドット形状で転写して光反射性の反射部１２を形成し、その上に保護層１３を形成した後に、光を透過しかつ特定の視域における観測色がＲＧＢの３原色のいずれかになるような空間周波数を有する３種類のＯＶＤを有する透過型ＯＶＤ層を備えた透過型ＯＶＤ転写リボンを用いて、サーマルヘッドによりＲＧＢ分解画像情報に対応させて転写して保護層１３上に網点画像を形成することにより、赤色ＯＶＤ画像１４Ｒ，緑色ＯＶＤ画像１４Ｇ，青色ＯＶＤ画像１４Ｂを形成したが、何らこれに限定されるものではない。
【００７２】
すなわち、少なくとも一部に光反射性の反射部をあらかじめ設けた支持体上に、光を透過しかつ特定の視域における観測色がＲＧＢの３原色のいずれかになるような空間周波数を有する３種類のＯＶＤを有する透過型ＯＶＤ層を備えた透過型ＯＶＤ転写リボンを用いて、サーマルヘッドによりＲＧＢ分解画像情報に対応させて微小面積のドット形状で転写して網点画像を形成することにより、赤色ＯＶＤ画像１４Ｒ，緑色ＯＶＤ画像１４Ｇ，青色ＯＶＤ画像１４Ｂを形成して、画像表示媒体を製造することも可能である。
【００７３】
図６は、この種の画像表示媒体の製造に用いる反射部を有する支持体の構成例を示す断面図である。
図６において、基材５１上には、光反射性の反射部５２が全面あるいは一部に形成され、この反射部５２上には、保護層５３が形成されており、少なくとも一部に光反射性の反射部５２をあらかじめ設けた支持体が構成されている。
【００７４】
ここで、基材５１は、画像を表示する媒体であり、シートあるいはカードの形態で用いる。
その材料としては、例えばポリ塩化ビニル、ポリエステル、ポリカーボネート、ポリメタクリル酸メチル、ポリスチレン、ポリエチレン、ポリエチレンテレフタレート、ポリエチレンナフタレート、ポリプロピレン、ポリビニルアルコール等の合成樹脂、天然樹脂、紙、合成紙等から単独で選択されたもの、または上記の中から選択されて組み合わされた複合体を使用することが可能である。
【００７５】
これらは、その媒体の利用法により要求される強度、耐熱性等の性能から、適宜選択される。
反射部５２は、ＯＶＤ画像を透過した光を反射し、より高いホログラムの装飾効果を導き出す層であり、Ａｌ，Ｓｎ，ＡＵ，Ａｇ，Ｃｒ等の金属およびその酸化物を、単独あるいは複合して用いることができる。
【００７６】
その形成方法としては、真空蒸着、スパッタリング、イオンプレーティング等の既知の薄膜形成技術が用いられ、その膜厚が３００オングストローム〜２０００オングストロームとなるように形成することが好ましい。
【００７７】
また、金属薄膜をエッチング処理により部分的に除去する等の公知の手段によって、反射部となる薄膜を部分的に設けることも可能である。
保護層５３は、搬送時の傷付きを防止する層であり、その材質としては、熱硬化性樹脂、熱硬化性樹脂、紫外線あるいは電子線硬化性樹脂のいずれであってもよいが、耐摩擦性を考慮して、石油系ワックス、植物系ワックス等の各種ワックス、ステアリン酸等の高級脂肪酸の金属塩、シリコンオイル等の滑剤や、テフロンパウダー、ポリエチレンパウダー、シリコーン系微粒子やアクリルニトリル系微粒子等の有機フィラー、およびシリカ微粒子等の無機フィラーを添加することもできる。
【００７８】
次に、以上のような方法により製造した本実施の形態による画像表示媒体においては、光反射性の反射部１２をあらかじめ設けた支持体上に、光を透過しかつＲＧＢの３原色を表現できる３種類のＯＶＤを有する透過型ＯＶＤ層を備えた透過型ＯＶＤ転写リボンを用いて、サーマルヘッドでＲＧＢ分解画像情報に対応させて網点画像を転写形成していることにより、反射型ＯＶＤ画像においても重ねによる混色表現を可能（例えば、顔写真のすり替え防止が可能）とし、より品質の高い意匠性に富んだホログラム画像またはカラー回折格子画像等のカラーＯＶＤ画像を容易に形成することができる。
【００７９】
以上により、前記実施の形態の場合と同様に、反射型ＯＶＤ画像においても重ねによる混色表現が可能となり、反射性ＯＶＤ画像の利点である、コピー防止効果および優れた装飾性を損なうことなく、より品質の高い意匠性に富んだ画像を得ることができる。
【００８０】
【実施例】
次に、前述した各実施の形態に係る画像表示媒体の製造に用いられる透過型ＯＶＤ転写リボン、反射部を有する支持体、および反射型転写リボンについて、その具体的な実施例を挙げてより詳細に説明する。
【００８１】
［透過型ＯＶＤ転写リボン］
本実施例では、基材２１としては、厚さ１２μｍの透明なポリエチレンテレフタレートフィルムを用いた。
【００８２】
剥離層２２は、ＯＶＤ層２３をより効果的に被転写体（図示せず）に転写するために、基材２１との剥離性、および箔切れ性を考慮して設けるものであり、以下のような配合比からなる組成物を、グラビア印刷法により、乾燥温度１１０゜Ｃ、厚さ０．８μｍで形成した。
【００８３】
アクリル樹脂                      …３０部
ポリエチレンパウダー              …  １部
トルエン                          …４０部
メチルエチルケトン                  …４０部
メチルイソブチルケトン            …２０部
本実施例では、レリーフ層２３ａは、以下のような配合比からなる組成物を、グラビア印刷法により、乾燥温度１１０゜Ｃ、厚さ０．５μｍで形成した。
【００８４】
塩化ビニル−酢酸ビニル共重合体    …２５部
ウレタン樹脂                      …１０部
メチルエチルケトン                …７０部
トルエン                          …８０部
また、レリーフ層２３ａに対し、版面温度が１６５゜Ｃのプレス成型を行なうことにより形成した。
【００８５】
その後、透過性反射層２３ｂを、真空蒸着法にてＺｎＳを厚さ３００オングストローム〜５００オングストロームに形成した。
接着層２４は、以下のような配合比からなる組成物を、グラビア印刷法により、乾燥温度１１０゜Ｃ、厚さ１．０μｍで形成した。
【００８６】
塩化ビニル−酢酸ビニル共重合体    …３０部
ポリエステル樹脂                  …２０部
メチルエチルケトン                …５０部
トルエン                          …５０部
バックコート層２５は、サーマルヘッドで転写する際のスティッキングを防ぎ、転写リボンがサーマルヘッドに貼り付くのを防止するための層であり、以下のような配合比からなる組成物を、グラビア印刷法により、乾燥温度１１０゜Ｃ、厚さ１．０μｍで形成した。
【００８７】
ビニル系樹脂                      …５０部
イソシアネート硬化剤              …  ５部
シリコーンＷＡＸ                  …  １部
メチルエチルケトン                …５０部
トルエン                          …５０部
［反射部を有する支持体］
本実施例では、基材５１としては、厚さ１８８μｍの透明なポリエステルシートを用いた。
【００８８】
次に、反射部５２として、真空蒸着法にてＡｌを厚さ５００オングストローム〜８００オングストロームに形成した後に、保護層５３として、以下のような配合比からなる組成物を、バーコーターにて厚さ２μｍに塗布した。
【００８９】
アクリル樹脂                      …３０部
ポリエチレンパウダー              …  １部
トルエン                          …４０部
メチルエチルケトン                …４０部
メチルイソブチルケトン            …２０部
その後、５４ｍｍ×８５ｍｍのカードサイズに打ち抜いて、反射部５２を有する支持体（支持体カード）を得た。
【００９０】
［反射型転写リボン］
基材６１、剥離層６２、接着層６４、バックコート層６５としては、前記透過型ＯＶＤ転写リボンの基材２１、剥離層２２、接着層２４、バックコート層２５と同一の材質を用いた。
【００９１】
一方、反射層６３としては、前記反射部を有する支持体の反射部５２と同様に、真空蒸着法にてＡｌを厚さ５００オングストローム〜７００オングストロームに形成した。
【００９２】
［反射型ＯＶＤ転写リボン（比較例）］
比較例の画像表示媒体を製造するために用いる比較例の反射ＯＶＤ転写リボンは、前記図７に断面図を示したように、前記透過型ＯＶＤ転写リボン（図２）と反射層７３ｂの材質が異なり、透過性を有しない反射膜で反射層７３ｂを形成した。
【００９３】
一方、この反射層７３ｂ以外の各層については、前記透過型ＯＶＤ転写リボンと同一の材料を用いて同一の方法にて形成した。
なお、反射層７３ｂとしては、真空蒸着法にて、Ａｌを厚さ５００オングストローム〜７００オングストロームに形成した。
【００９４】
以上のようにして得られた、各種転写リボンと支持体とを用いて、本実施の形態の画像表示媒体および比較例の画像表示媒体を作製した。
この場合、転写リボンの転写は、公知のサーマル転写プリンターにて行なった。
【００９５】
また、ＲＧＢ分解画像情報の濃淡は、網点面積の大小で表現するようにデータ変換を行ない、それぞれ転写する網点面積に応じて、サーマルヘッドの発熱ドット数を増減させることで、ＲＧＢ網点分解画像の転写、印字を行なった。
【００９６】
（具体例１）
本実施の形態に係る透過型ＯＶＤ転写リボンを用いて、反射部を有する前記ＰＥＴカードに画像を転写し、本実施の形態の画像表示媒体を得た。
【００９７】
（具体例２）
本実施の形態に係る反射型転写リボンを用いて、厚さ１８８μｍの白色ＰＥＴカードに反射部を転写形成した後、透過型ＯＶＤ転写リボンを用いて画像を転写し、本実施の形態の画像表示媒体を得た。
【００９８】
（比較例）
前記反射型ＯＶＤ転写リボンを用いて、厚さ１８８μｍの白色ＰＥＴカードに画像を転写し、比較例の画像表示媒体を得た。
【００９９】
特に、具体例２のような方法にて製造したＯＶＤ画像を有する画像表示媒体では、支持体の任意の部分に、任意の形でカラー表現が多彩な反射型ＯＶＤ画像を形成することが可能であった。
さらには、２個以上のサーマルヘッドを有するマルチヘッドプリンターを使用すれば、反射層とＯＶＤ画像とを同時に形成することが可能である。
【０１００】
【発明の効果】
以上説明したように、請求項１の発明によれば、反射型ＯＶＤ画像においても重ねによる混色表現効果を向上させることができ、装飾効果やコピー防止効果を損なうことなく、より色彩表現の豊かな意匠性の高い画像を得ることが可能な画像表示媒体が提供できる。
【０１０１】
一方、請求項２の発明によれば、反射型ＯＶＤ画像においても重ねによる混色表現を可能とし、より品質の高い意匠性に富んだホログラム画像またはカラー回折格子画像等のカラーＯＶＤ画像を容易に形成することが可能な画像表示媒体の製造方法が提供できる。
【０１０２】
また、請求項３の発明によれば、反射型転写リボンと透過型ＯＶＤ転写リボンとを併用して、反射型ＯＶＤ画像においても重ねによる混色表現を可能とし、より品質の高い意匠性に富んだホログラム画像またはカラー回折格子画像等のカラーＯＶＤ画像を任意の部分に任意の形状で容易に形成することが可能な画像表示媒体の製造方法が提供できる。
【図面の簡単な説明】
【図１】本発明による画像表示媒体の一実施の形態を示す断面図。
【図２】同一実施の形態に係る画像表示媒体の製造に用いる透過型ＯＶＤ転写リボンの構成例を示す断面図。
【図３】同一実施の形態に係る画像表示媒体の製造に用いる透過型ＯＶＤ転写リボンの構成例を示す平面図。
【図４】同一実施の形態に係る画像表示媒体の観察方法を示す模式図。
【図５】同一実施の形態に係る画像表示媒体の製造に用いる反射型転写リボンの構成例を示す断面図。
【図６】同一実施の形態に係る画像表示媒体の製造に用いる反射部を有する支持体の構成例を示す断面図。
【図７】従来の反射型ＯＶＤ転写リボンの構成例を示す断面図。
【符号の説明】
１１…基材、
１２…反射部、
１３…保護層、
１４Ｒ…赤色ＯＶＤ画像、
１４Ｂ…青色ＯＶＤ画像、
１４Ｇ…緑色ＯＶＤ画像、
２１…基材、
２２…剥離層、
２３…ＯＶＤ層、
２３ａ…レリーフ層、
２３ｂ…透過性反射層、
２４…接着層、
２５…バックコート層、
３１Ｒ…赤色エリア、
３１Ｇ…緑色エリア、
３１Ｂ…青色エリア、
３４…レジスターマーク、
４１…画像表示媒体、
４２…白色照射光、
４３…観察点、
５１…基材、
５２…反射部、
５３…保護層、
６１…基材、
６２…剥離層、
６３…反射層、
６４…接着層、
６５…バックコート層、
７１…基材、
７２…剥離層、
７３…ＯＶＤ層、
７３ａ…レリーフ層、
７３ｂ…反射層、
７４…接着層、
７５…バックコート層。
【図１】
0003899599.tif 000003
【図２】
0003899599.tif 000004
【図３】
0003899599.tif 000005
【図４】
0003899599.tif 000006
【図５】
0003899599.tif 000007
【図６】
0003899599.tif 000008
【図７】
0003899599.tif 000009